【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
実行形式のコードを含み、
前記実行形式のコードは、
少なくとも２台のフィールド機器（３４、３６）を制御システム（１０）に動作可能に結合するバッチ・コミッショニング・システム（１０６）を実現する命令と、
前記少なくとも２台のフィールド機器（３４、３６）を前記制御システム（１０）から動作可能に切り離すバッチ・デコミッショニング・システム（１０８）を実現する命令と、
前記バッチ・コミッショニング・システム（１０６）、前記バッチ・デコミッショニング・システム（１０８）、またはその組み合わせを実行し、前記少なくとも２台のフィールド機器（３４、３６）をディスプレイ上で選択し、さらに前記制御システム（１０）と通信可能な形でインタフェースして前記少なくとも２台のフィールド機器（３４、３６）を前記制御システム（１０）に動作可能に結合する、前記制御システム（１０）から動作可能に切り離す、またはその組み合わせを行う、ＧＵＩ（グラフィカル・ユーザ・インタフェース）（１０４）を実現する命令と、
を含み、
前記少なくとも２台のフィールド機器（３４、３６）のうちの第１のフィールド機器（３４）が不整合状態を有し、
前記不整合状態は、前記第１のフィールド機器（３４）に付与されたＰＤタグと、前記第１のフィールド機器（３４）に付与された恒久的ノードＩＤと、作動中機器に対するノードアドレスとを含み、
前記バッチ・コミッショニング・システム（１０６）は、前記第１のフィールド機器（３４）が不整合状態にあると判定された場合に、前記第１のフィールド機器（３４）を前記不整合状態からコミッション済み状態に遷移させる、非一時的かつ有形のコンピュータ可読媒体（１６）。
【請求項２】
前記バッチ・コミッショニング・システム（１０６）は、前記第１のフィールド機器（３４）に付与される第１の恒久的ノード識別情報（ＩＤ）がコミッショニングにおいて使用できるかどうかを判定し、かつ前記第１の恒久的ノードＩＤが使用できる場合は、前記第１のフィールド機器（３４）に第１のＰＤ（物理デバイス）タグを付与し、第２の恒久的ノードＩＤの削除ならびに第２の恒久的ノードＩＤの再付与を省略する、請求項１に記載の非一時的かつ有形のコンピュータ可読媒体（１６）。
【請求項３】
前記複数のフィールド機器状態（１２２）が不整合状態、未初期化状態、初期化状態、およびコミッション済み状態のみを含む、請求項１または２に記載の非一時的かつ有形のコンピュータ可読媒体（１６）。
【請求項４】
前記命令は、前記少なくとも２台のフィールド機器（３４、３６）をリンキングデバイス（４４）を介して前記制御システム（１０）と通信可能に結合する命令を含む、請求項１乃至３のいずれかに記載の非一時的かつ有形のコンピュータ可読媒体（１６）。
【請求項５】
前記ＧＵＩ（１０４）は、リンキングデバイス（４４）、前記少なくとも２台のフィールド機器（３４、３６）、複数のフィールド機器状態（１２２）、またはその組み合わせを表す視覚的表現を表示する階層制御部を含み、
前記複数のフィールド機器状態（１２２）を表す前記視覚的表現は複数のグラフィックアイコン（１９６、１９８、２００、２０２、２０４）を含む、請求項１乃至４のいずれかに記載の非一時的かつ有形のコンピュータ可読媒体（１６）。
【請求項６】
前記命令は、リンキングデバイス（４４）を介して高速イーサネット網（４８）とＨ１フィールドバス（Ｆｏｕｎｄａｔｉｏｎ  Ｈ１）ネットワーク（５０）との間で通信を行う命令を含み、前記リンキングデバイス（４４）は前記高速イーサネット網（４８）を前記Ｈ１フィールドバスネットワーク（５０）にリンクし、前記少なくとも２台のフィールド機器（３４、３６）は前記Ｈ１フィールドバスネットワーク（５０）に接続される、請求項１乃至５のいずれかに記載の非一時的かつ有形のコンピュータ可読媒体（１６）。
【請求項７】
前記命令は、前記少なくとも２台のフィールド機器（３４、３６）のうちの第１のフィールド機器（３４）を表す仮想プレースホルダ（１２０）を含み、前記バッチ・コミッショニング・システム（１０６）は前記仮想プレースホルダ（１２０）を用いて前記第１のフィールド機器（３４）のコミッショニングを行う、請求項１乃至６のいずれかに記載の非一時的かつ有形のコンピュータ可読媒体（１６）。
【請求項８】
前記命令は、タービンシステム、発電システム、またはその組み合わせを制御する命令を含む、請求項１乃至７のいずれかに記載の非一時的かつ有形のコンピュータ可読媒体（１６）。
【請求項９】
第１のフィールド機器（３４）の制御システム（１０）への結合を検出する工程と、
第２のフィールド機器（３６）の前記制御システム（１０）への結合を検出する工程と、
前記第１のフィールド機器（３４）について第１の状態を決定する工程と、
前記第２のフィールド機器（３６）について第２の状態を決定する工程と、
前記第１および第２のフィールド機器（３４、３６）に対してバッチコミッショニング、バッチデコミッショニング、バッチクリアリング、またはその組み合わせを行う工程と、
を含み、
前記少なくとも２台のフィールド機器（３４、３６）のうちの第１のフィールド機器（３４）が不整合状態を有し、
前記不整合状態は、前記第１のフィールド機器（３４）に付与されたＰＤタグと、前記第１のフィールド機器（３４）に付与された恒久的ノードＩＤと、作動中機器に対するノードアドレスとを含み、
前記バッチ・コミッショニング・システム（１０６）は、前記第１のフィールド機器（３４）が不整合状態にあると判定された場合に、前記第１のフィールド機器（３４）を前記不整合状態からコミッション済み状態に遷移させる、方法。
【請求項１０】
前記第１および第２のフィールド機器（３４、３６）がともに不整合状態にあるときに前記バッチコミッショニングが行われ、前記バッチコミッショニングは、前記第１および第２のフィールド機器（３４、３６）に関連づけられたデバイス記述（ＤＤ）ファイル（６４、６６）を、製造者ＩＤ、機器種別、機器版数、ＤＤとＣＦＦ（共通ファイルフォーマット）の版数、またはその組み合わせに基づいてバッチ・コミッショニング・ウィザード（１１４）に実装し、前記第１および第２のフィールド機器（３４、３６）に対するコミッショニングを前記ＤＤファイル（６４、６６）を用いて行う工程を含み、
前記第１と第２のフィールド機器（３４、３６）のいずれか一方が未初期化状態または初期化状態にあるときに前記バッチコミッショニングが行われ、前記バッチコミッショニングは、少なくとも１つの暫定的ノードＩＤを使用する工程を含み、
前記バッチコミッショニングは、前記第１のフィールド機器（３４）が不整合状態にないときに、第１の恒久的ノード識別情報（ＩＤ）および第１のＰＤ（物理デバイス）タグを前記第１のフィールド機器（３４）に付与する工程を含み、前記第１の恒久的ノードＩＤおよび前記第１のＰＤタグを付与する前記工程によって前記第１のフィールド機器（３４）はコミッション済み状態に遷移し、
前記バッチデコミッショニングは、現在使用中の暫定的ノードＩＤの数を取得し、前記数が最大値に等しいときに第１の暫定的ノードＩＤを解放する機能を提供する工程を含む、請求項９に記載の方法。
【請求項１１】
第１のフィールド機器（３４）の制御システム（１０）への結合を検出し、
第２のフィールド機器（３６）の前記制御システム（１０）への結合を検出し、
前記第１のフィールド機器（３４）について第１の状態を決定し、
前記第２のフィールド機器（３６）について第２の状態を決定し、
前記第１および第２のフィールド機器（３４、３６）に対してバッチコミッショニング、バッチデコミッショニング、バッチクリアリング、またはその組み合わせを行う、
プロセッサ（１４）、
を備え、
前記少なくとも２台のフィールド機器（３４、３６）のうちの第１のフィールド機器（３４）が不整合状態を有し、
前記不整合状態は、前記第１のフィールド機器（３４）に付与されたＰＤタグと、前記第１のフィールド機器（３４）に付与された恒久的ノードＩＤと、作動中機器に対するノードアドレスとを含み、
前記バッチ・コミッショニング・システム（１０６）は、前記第１のフィールド機器（３４）が不整合状態にあると判定された場合に、前記第１のフィールド機器（３４）を前記不整合状態からコミッション済み状態に遷移させる、システム。
【請求項１２】
前記プロセッサ（１４）は、前記第１および第２のフィールド機器（３４、３６）がともに不整合状態にあるときに前記バッチコミッショニングを行い、前記バッチコミッショニングは、前記第１および第２のフィールド機器（３４、３６）に関連づけられたデバイス記述（ＤＤ）ファイル（６４、６６）を、製造者ＩＤ、機器種別、機器版数、ＤＤとＣＦＦ（共通ファイルフォーマット）の版数、またはその組み合わせに基づいてバッチ・コミッショニング・ウィザード（１１４）に実装し、前記第１および第２のフィールド機器（３４、３６）に対するコミッショニングを前記ＤＤファイル（６４、６６）を用いて行う工程を含む、請求項１１に記載のシステム。
【請求項１３】
前記プロセッサ（１４）は、前記第１と第２のフィールド機器（３４、３６）のいずれか一方が未初期化状態または初期化状態にあるときに前記バッチコミッショニングを行い、前記バッチコミッショニングは、少なくとも１つの暫定的ノードＩＤを使用する工程を含む、請求項１１または１２に記載のシステム。
【請求項１４】
前記バッチクリアリングは前記第１および第２のフィールド機器（３４、３６）を未初期化状態に遷移させる工程を含む、請求項１１乃至１３のいずれかに記載のシステム。